(57)【要約】【課題】ホームページをユーザーの操作無しで見られるようにする。【解決手段】表示開始から終了までの間に、複数の画面がユーザーの操作無しで、自動的に連続して切り替わっていく表示部分を含み、かつ、１画面を複数の画像領域に分割し、この分割された領域の画像のうち、少なくとも一部の画像が１画面内で時間差をもって自動的に連続して表示している。複数の画像より１画面を構成し、これら複数の画像のうち、５０％〜１００％の画像が、静止映像データあるいは／および動画映像データとしている。【選択図】　図１
2004139182.tif 000002
【特許請求の範囲】
【請求項１】
インターネットを介してコンピュータ画面で表示されるホームページの表示方法であって、
表示開始から終了までの間に、複数の画面がユーザーの操作無しで、自動的に連続して切り替わっていく表示部分を含み、かつ、１画面を複数の画像領域に分割し、この分割された領域の画像のうち、少なくとも一部の画像が１画面内で時間差をもって自動的に連続して表示されることを特徴とするのホームページの表示方法。
【請求項２】
上記ホームページの表示開始から終了時までの全表示画面が、自動的に連続して切り替わっていく請求項１に記載のホームページの表示方法。
【請求項３】
上記１画面の全体を複数の画像領域に分割して、これら全ての画像領域の画像を１画面中で時間差をもって自動的に連続して表示している請求項１または請求項２に記載のホームページの表示方法。
【請求項４】
上記複数の画像より構成される１画面のうち、５０％〜１００％の画像がイメージデータからなる請求項１乃至請求項３のいずれか１項に記載のホームページの表示方法。
【請求項５】
１画面中の複数の画像は、ホームペ−ジ作成者の業務、製品、場所、あるいはスタッフ等の情報をそれぞれまとめた１コンテンツからなり、複数のコンテンツがユーザーの操作なしで連続的に自動切り替えて表示される請求項１乃至請求項４のいずれか１項に記載のホームペ−ジの表示方法。
【請求項６】
１画面を縦方向および横方向に分割して、１画面を碁盤目状の上記画像領域に分割している請求項１乃至請求項５のいずれか１項に記載のホームページの表示方法。
【請求項７】
自動的に表示が切り替えられる画面は分割表示画面と情報表示画面とからなり、上記分割表示画面は上記分割された各画像の色彩、濃淡あるいは／および模様を異ならせて１画面の分割領域を表示し、該分割表示画面から連続して切り替わる上記情報表示画面は、ホームページ作成者の業務、製品、場所、スタッフ等の情報をそれぞれまとめた１コンテンツを１画面上に表示する画面であり、
上記分割表示画面から情報表示画面への切り替えは、分割表示画面の画像をベース表示しながら上記情報表示画面の各画像を順次分割表示画面の画像より切り替えて表示している請求項１乃至請求項６のいずれか１項に記載のホームページの表示方法。
【請求項８】
画面表示時に音声を出力し、該音声をメロディーとして、メロディーのリズムと画面切替時あるいは／および画像切替時とを同調させている請求項１乃至請求項７のいずれか１項に記載のホームページの表示方法。
【請求項９】
画面表示時にナレーションを出力している請求項１乃至請求項８のいずれか１項に記載のホームページの表示方法。
【請求項１０】
動画作成ソフトを用いて作成している請求項１乃至請求項９のいずれか１項に記載のホームページの表示方法。
【請求項１１】
ホームペ−ジの開始から終了までの全画面データは、サーバーからインターネットを介してコンピュータの記憶装置にデータを一括ダウンロードした後に表示するのではなく、サーバーからコンピュータの記憶装置にデータを取り込みながら画面表示を行っている請求項１乃至請求項１０に記載のホームペ−ジの表示方法。
【発明の詳細な説明】
【０００１】
【発明の属する技術分野】
本発明はホームペ−ジの表示方法に関し、特に、ホームペ−ジ作成者がユーザーに見せたい情報を積極的に提示でき、かつ、映像を多くすることでユーザーも知りたい情報を簡単に得ることができる表示を行うものである。
【０００２】
【従来の技術】
従来、ホームペ−ジにアクセスすると、会社名称等と会社情報を各コンテンツ毎に分けた案内が表示されたトップ画面が表示される。ユーザーはトップ画面に表示されたコンテンツを選択して操作することで、画面が切り替わり、ユーザーが知りたい情報を選択して得られるようにしている。また、各コンテンツのデータ量が多い場合にはユーザーがスクロールしながら画面表示を切り替えていく必要がある。
即ち、従来のホームペ−ジでは画面切り替え（モニタ画面の切り替え）はユーザーの操作に基づいて行われている。よって、ユーザーは画面を切り替えて他の情報を得たい時は、其の度にクリップ操作あるいはキー操作をしなければならない煩わしさがある。一方、ホームペ−ジ作成者にとっては全ての画面を見てもらえない場合が多いため、ホームペ−ジの作成コストの割りにアピール度が低い問題がある。
しかしながら、従来のホームペ−ジでは文字表示が多いため、全画面を操作しながら見ていくことはユーザーにとって可成りの時間と労力を必要とし、ユーザーが知りたい情報だけを選択して見ることは止む終えないことである。
【０００３】
そのため、近時、情報を映像として一目で簡単に認識できるようにするため、ホームペ−ジでの映像表示も増加の傾向にあり、映像表示方法も工夫されている。　例えば、特開２００２−１７５１３５号では、画面上でカタログのような印刷者をスキャンした画像を表示する際に、画像全体をまず表示し、ユーザーが選択する任意の部分を高画質の画像で表示できるようにしたホームペ−ジの画像表示方法が提案されている。
【０００４】
また、この種のホームペ−ジの作成方法に関するものとして、特開平１０−２２２５０８号でコンピュータ画面レイアウト編集方法が提案されている。この提案されている編集方法は、ホームペ−ジの作成をするために必要最小限の機能に特化し、ブラウザ上で表示状態を確認しながら容易にブラウザ上で編集できるようにするため、ホームページの作成時においてコンピュータ画面を複数のブロックに分割し、ブロック単位に文字または画像を入力し、編集している。しかしながら、分割表示された部分のデータ量が多い場合は、ユーザーがスクロールしながら読み取るようにされている。
【０００５】
【特許文献１】
特開２００２−１７５１３５号公報
【０００６】
【特許文献２】
特開平１０−２２２５０８号公報
【０００７】
【発明が解決使用とする課題】
前記特許文献１の映像表示方法では、ユーザーが見たい部分を操作して選択しする必要がある。また、前記特許文献２の１画面の分割表示は簡単にホームペ−ジの編集ができるようにするために画像が分割されているだけで、１コンテンツのデータ量が多い場合にはユーザーがスクロールしながら読み取る必要がり、従来と同様にユーザーの操作が必要なる。このように、従来提案されている表示方法はいずれもユーザーの操作に基づいて画面や画面の一部画像を切り替えており、ユーザーにとって操作の煩わしさは軽減されず、ホームペ−ジ作成者側にとっては見せたい画面を見てもらえない問題は解消されていない。
【０００８】
また、従来のホームページでは、１つのコンテンツの全データをインターネットを介してコンピュータの記憶装置に一括ダウンロードしてから画面表示をしている場合が多いため、コンピュータ画面上で表示されるまでのローデイング時間が長くかかる。特に、ホームページの送信データが多いと共に、インターネット回線の通信速度が遅い場合には、ユーザーは表示までに長時間待たされる問題がある。特に、１コンテンツ中に大量のデータを必要とする動画等のイメージデータを含んでいる場合は、１つのコンテンツのデータ量が膨大となり、ローデイング時間がより長くなり、その結果、ユーザーが当該ホームページを見なくなる場合も多い。これらの事情より、従来のホームペ−ジの表示は動画を含むイメージ表示は非常に少なく、文字表示が多い原因ともなっている。
【０００９】
本発明は、上記した問題に鑑みてなされたもので、ユーザーの操作を低減でき、かつ、ホームペ−ジ作成者にとっては見せたい画面をユーザーに積極的に見せることができ、かつ、ホームペ−ジの表示に映像を多く用いて、ユーザーにとって見やすいものとすることを課題としている。
【００１０】
【課題を解決するための手段】
上記課題を解決するため、本発明は、インターネットを介してコンピュータ画面で表示されるホームページの表示方法であって、
表示開始から終了までの間に、複数の画面がユーザーの操作無しで、自動的に連続して切り替わっていく表示部分を含み、かつ、１画面を複数の画像領域に分割し、この分割された領域の画像のうち、少なくとも一部の画像が１画面内で時間差をもって自動的に連続して表示されることを特徴とするのホームページの表示方法を提供している。
【００１１】
上記画面とはコンピュータのモニタ画面を指し、１画面とはモニターに表示されている全体の表示を含む。
前記したように、従来は画面（モニタ画面）はユーザーのクリック操作やキー操作により切り替えれているが、本発明では１画面をユーザーが認識できる程度の時間間隔をあけて自動的に且つ連続的に切り替えている。よって、ユーザーは画面切り替えの操作をしなくてもよく、かつ、ホームページ作成者側は見せたい画面を積極的に見せることができる。
かつ、連続的に切り替わる１画面が複数の画像領域に分割され、この分割された画像のうち少なくとも一部の画像が１画面内で時間差をもって自動的に連続して表示していることにより、１画面の中でも各種画像情報を漏れなくユーザーに見てもらうことができる。
【００１２】
特に、１画面の全体を複数の画像領域に分割して、これら全ての画像領域の画像を１画面中で時間差をもって自動的に連続して表示すること好ましい。
その場合、画像領域に表示される個々の画像が時系列的な関連性を持ったものを用いれば、自動的にその時系列順に連続表示するようにすれば、ユーザは容易に画像間のストーリーを認識することができる。それにより、テキストによる説明文の掲載を極力減らすことができ、ホームページを閲覧する際のユーザへの負荷が軽減されると共に、ホームページのビジュアル性を高めることにも貢献する。　なお、１画面中の複数画像は、全ての画像を時間差をあけて切り替えても良いし、例えば複数画像が９個ある場合、２個の画像を同時に切り替える等、切り替え画像枚数をランダムとしてもよい。かつ、１画面中での画像の切り替えを複数回繰り返し行ってもよい。
【００１３】
さらに、ホームページの表示開始から終了時までの全表示画面が、自動的に連続して切り替えていくことが好ましい。
このように、ホームペ−ジの開始から終了まで、ユーザーのクリック操作なしで表示すると、ユーザーは操作する必要が全く無くなる一方、ホームペ−ジ作成者は全ページをユーザーに見てもらうことができる。
なお、トップページと、それに続くページとの間には自動切り替えとせずに、ユーザーの操作を介在させてもよく、トップページに続くページは複数のコンテンツを連続的に自動切り替えして表示している。
また、ストップ機能を付加して、ユーザーがストップ表示をクリックすると、画面の自動切替を一時停止させるようにしてもよい。
【００１４】
上記複数の画像より構成される１画面のうち、５０％〜１００％の画像をイメージデータとしていることが好ましい。　該イメージデータは静止画データと動画データとを含む。
上記静止画データは写真をスキャナで取り込むことや、デジタル写真から簡単に得られる。また、動画データはビデオから簡単に得られる。なお、写真やビデオに限らず、コンピュータ上で作成するイラストや図形を用いてもよく、イメージデータであればよい。
このように、イメージデータを多用することで、ユーザーは文字を読む必要なく、知りたい情報を映像より簡単に得られることができる一方、ホームページ作成者側も写真やビデオを用いて、アピール度の高いホームページを簡単に作成することができる。
例えば、１画面を９つの画像領域に分割する場合、８個の画像を映像で表示し、残り１つの領域に他の映像の説明や、当該１画面の説明を入れるとユーザーにとって分かり易いものとなる。
【００１５】
１画面中の複数の画像は、ホームペ−ジ作成者の業務、製品、場所、あるいはスタッフ等の情報をそれぞれまとめた１コンテンツからなり、複数のコンテンツがユーザーの操作なしで連続的に自動切り替えて表示している。
【００１６】
従来は、トップページ等に業務、製品、場所、スタッフ等のページを閲覧するための選択肢をハイパーテキスト等により表示して、ユーザに閲覧したいページ項目を選択的にクリックさせていた。しかし、本発明では、業務、製品、場所、スタッフ等の情報をまとめた複数のコンテンツを、全てクリック無しで連続表示させるため、ホームページ作成者は全ての情報を強制的にユーザに閲覧させることができ、ＰＲ等を意図通りに行うことができると共に、ユーザ側にとってもクリックレスで操作の煩わしさを無くすことができる。
【００１７】
上記分割する１画面は縦方向および横方向に分割して、１画面を碁盤目状の上記画像領域に分割している。
例えば、縦横３分割して１画面を９個の画像領域に分割している。このように、規則的な分割を行うと、ユーザーは各領域で画像が分割表示されていることが一目で分かると共に、ホームページ作成者側にとってもホームページの作成を容易に行うことができる。
【００１８】
上記のように分割した画像から構成される１画面は、具体的には、分割表示画面と情報表示画面との２種類の画面から構成される。なお、トップ画面はこの２種類の画面と区別して設ける事が好ましい。
上記分割表示画面は分割された各画像の色彩、濃淡あるいは／および模様を異ならせて１画面の分割領域を表示している。該分割表示画面にはそれぞれ画像を同時に表示することが好ましい。この分割表示画面から連続して切り替わる上記情報表示画面は、ホームページ作成者の業務、製品、場所、スタッフ等の情報をそれぞれまとめた１コンテンツを１画面上に複数の画像で表示する画面としている。
上記分割表示画面から情報表示画面への切り替えは、分割表示画面の画像をベース表示しながら上記情報表示画面の各画像を順次分割表示画面の画像より切り替えて表示している。
【００１９】
上記表示方法によると、分割された画像が自動的に順番に表示されていく際に、まだ表示されていない画像のスペースは、上記分割表示画面の色彩、濃淡あるいは／および模様を異ならせたベース画像が表示されているので、表示待ちの間も美しい画面表示を維持しておくことができる。
【００２０】
また、画面表示時に音声を出力し、該音声をメロディーとして、メロディーのリズムと画面切替時あるいは／および画像切替時とを同調させていると、ユーザの画面の連続表示を単調化することなく、リズム感のある画面の連続表示が行え、視聴覚に訴えたアピールをすることができる。
なお、画面表示時にナレーションを出力すれば、ユーザにテキストによる説明文を読むを負荷を無くしながらも、ユーザのコンテンツの理解を深めさせることができる。
【００２１】
ホームペ−ジの開始から終了までの全画像データは、サーバーからインターネットを介してコンピュータの記憶装置にデータを一括ダウンロードした後に表示するのではなく、サーバーからデータを取り込みながら画面表示を行っている。
【００２２】
ホームページの全画面データを一括してダウンロードしてから表示すると、ダウンロード時間に空白時間が生じてしまうが、上記のようにデータをサーバーからユーザーのコンピュータの記憶装置に記憶させながら平行して表示させていくことで、待ち時間なく表示させることができる。但し、上記全画面データのデータ量が大きい時は、サーバーからホームページを表示するコンピュータまでの回線の通信速度が高速であることが望ましい。
【００２３】
【発明の実施の形態】
以下、本発明の実施形態を図面を参照して説明する。
図１はホームページの表示画面を示し、トップ画面１、分割表示画面２、情報表示画面３で構成され、分割表示画面２と情報表示画面３とは繰り返している。ホームページを開くと、トップ画面１→分割表示画面２→情報表示画面３Ａ→分割表示画面２→情報表示画面３Ｂ……分割表示画面２→情報表示画面３ｎが、ユーザーのクリック操作無しで自動的に所要の時間間隔をあけて、連続的に切り替えられていく設定としている。即ち、ユーザーはホームページを開いた後は終了まで全く操作なしで、全ホームページを見られるようにしている。
【００２４】
上記分割表示画面２と情報表示画面３とは、図示のように、１画面Ａ（モニタに表示されている画面）の全体を縦横に３等分して９個の画像領域Ｓを碁盤目状に設け、これら画像領域Ｓに表示される９個の画像Ｂ１〜Ｂ９より１画面Ａを構成している。
【００２５】
繰り返し表示される分割表示画面２は同一画面とし、９個の画像Ｂａ１〜Ｂａ９は色彩を異ならせて分割領域を明示している。
この分割表示画面２の９個の画像Ｂａ１〜Ｂａ９は、本実施形態では、画面が切り替わると同時表示させる設定としているが、時間差をあけて表示してもよい。かつ、次の情報表示画面３に切り替わるまで、各画像Ｂａ１〜Ｂａ９の色彩をそれぞれ濃淡を連続的に変えて表示してもよい。
【００２６】
上記分割表示画面２の後に自動的に切り替えられる上記情報表示画面３は、１画面中の９個の画像Ｂｂ１〜Ｂｂ９で１つのコンテンツをまとめて表示している。　具体的には、情報表示画面３Ａはホームページ作成会社の製品紹介ページ、３Ｂは仕事の流れの紹介ページ、３Ｃは業務分野紹介ページ、３Ｄはスタッフ紹介ページ、３Ｅは会社所在地紹介ページとしている。
【００２７】
上記情報表示画面３Ａの９個の画像Ｂｂ１〜Ｂｂ９は、写真から得たイメージデータからなり、イメージデータのみでは１画面に表示されているコンテンツの内容が分かりにくい場合には、画面中央の画像Ｂｂ５は１画面中に表示するコンテンツの内容を表示する文章、例えば、製品案内と文字表示して、製品名を入れている。また、１画面の情報表示画面が仕事の流れを表示するコンテンツであれば、仕事の流れに沿った写真画像を順次表示する設定とすると、ユーザーにとって非常に分かり易いものとなる。
【００２８】
上記分割表示画面２から情報表示画面３に自動的に切り替わる時、分割表示画面２の９個の画像Ｂａ１〜Ｂａ９をベース表示しながら情報表示画面３の各画像Ｂｂ１〜Ｂｂ９を順次切り替えて表示している。即ち、各分割領域の画像Ｂ１〜Ｂ９が色模様から写真へと１個ずつ転換していく表示としている。この転換は、上段の左の画像から右の画像へ、中段の左から右、下段の左から右へと順次所要時間間隔をあけて自動的に切り替え表示している。なお、ランダムな順位で切り替えてもよいし、２個等の複数の画像を同時に切り替えてもよい。
また、前記画面中央の画像Ｂｂ５にコンテンツ表示を設けている場合は、中央の画像Ｂｂ５を最初に転換して切り替えた後、他の画像を順次切り替えている。さらに、すべての画像を情報表示画像Ｂｂ１〜Ｂｂ９に切り替えた後に、これら画像をランダムに点滅させる表示を行っても良い。
【００２９】
上記のように、１つのコンテンツを１画面で表示する情報表示画面３の間に分割表示画面２を介在させると、情報表示画面３を複数画像を順次切り替えて表示している場合に、切り替えがスムーズに行えると共に、この繰り返して表示する分割表示画面を同一表示内容の画面としているため、ホームページ作成が簡単かつ安価に行うことができる。
さらに、情報表示画面を複数の画像に分割しているため、情報の一部を更新或いは訂正した場合には、該当する画像のみを差し替えればよく、ホームページの更新作業も簡単に行える。
【００３０】
また、上記のように分割表示画面２と１コンテンツを９個の画像からなる１画面で表示する情報表示画面３とを繰り返えして複数のコンテンツを連続表示する前の最初のトップ画面１も、該トップ画面１中に動画により会社名や住所等を表示している。また、最終の情報表示画面３ｎは停止画面とし、該停止画像に分割画像から構成せずに、　会社名、電話番号、ＦＡＸ番号、メール番号、会社所在地図を表示し、ユーザーがプリントアウトできる便宜を図っている。
【００３１】
さらに、トップ画面１から最終情報表示画面Ｂｎまで、表示と同時にＢＧＭとして音楽を出力し、該音楽のリズムと画面切り替え時とを同調させている。言い換えれば、音楽のリズム転換に合わせて画面の切り替えがなされるように表示画面の時間設定を行っている。
【００３２】
上記トップ画面１、分割表示画面２、情報表示画面３からなるホームページは動画作成ソフト（商品名「フラッシュ」）を用いて作成し、画面切替時間および１画面中の９個の画像の切替時間を、同時出力する音楽と同調するように時間設定して作成している。
【００３３】
また、上記ホームペ−ジは、トップ画面１の表示開始から終了までの全画面データをサーバーからインターネットを介してコンピュータに一括ダウンロードした後に表示する方法を採用せずに、サーバーからユーザーのコンピュータの記憶装置にデータを取り込みながら画面表示をパラレルに行っている。
【００３４】
本発明のホームページの表示方法の具体例を図２乃至図１０に示す。
図２乃至図１０はホームページの各画面をプリントアウトしたもので、図２はトップ画面１であり、図３は分割表示画面２である。図４乃至図１０は情報表示画面３Ａ〜３Ｇであり、これら情報表示画面３Ａ〜３Ｇの夫々の間に図２の分割表示画面２を表示している。
【００３５】
情報表示画面３Ａ〜３Ｇはそれぞれ１コンテンツを分割された９個の画像で表示している。トップ画面１の表示も動画を含んだ表示としている。
上記トップ画面１の表示後、所要時間間隔をあけて分割表示画面２が自動的に切り替えられて表示され、続いて、情報表示画面３Ａへと自動的に切り替えられ、該情報表示画面３Ａで９個の画像が分割表示画像の各画像から順次切り替えられて表示される、その後、同様に、分割表示画面２→情報表示画面３Ｂ…へと順次自動的に所要時間をあけて自動的に切り替えられ、最終の情報表示画面３Ｇでは静止画像となって停止する。
また、トップ画面１の表示と同時にＢＧＭの音楽が出力され、画面切り替えと音楽のリズム転換とを同調させている。
【００３６】
本発明のホームページの表示方法は、上記実施形態に限定されず、必要に応じて、ユーザーが所要の画面を停止させたい時に操作できるストップ機能を付加してもよい。また、上記最終情報表示画面の後にユーザーが操作して画面表示できる求人ページを必要に応じて添付してもよい。さらに、上記ＢＧＭと共に、あるいはＢＧＭに代えて表示画面の説明をするナレーションの音声出力を添付してもよい。
【００３７】
【発明の効果】
以上の説明より明らかなように、本発明に係わるホームページの表示方法によれば、画面切り替えがユーザーの操作無しで行われると共に、１画面中に分割して表示する画像も自動的に時間差をもって表示する構成としているため、ユーザーは操作の手数をかけずに情報を得ることができる一方、ホームページ作成者側もユーザーに情報を積極的に見せることができる。
特に、イメージデータを多用することで、多くの情報をユーザー側に労力をかけることなく伝えることができ、ユーザー側およびホームページ作成者側のいずれにとってもメリットがある。
【００３８】
また、本発明では、上記分割表示画面と情報表示画面とを交互に自動的に切り替えているため、情報表示画面を複数の画像に分割して、これら画像を１画面中で切り替えていく表示をスムーズに行うことができる。かつ、分割表示画面は同一画面とすると簡単に作成出来ると共に、分割表示画面と情報表示画面との分割領域と同じとしておくことで、情報表示画面中の一部の画像或いは画像全体の更新も簡単に行えることができる。
【００３９】
さらに、情報表示画面の分割した画像は、写真をスキャナしてイメージデータとしたもの、あるいはデジタル写真画像をイメージデータとしたものを多用しているため、ビジュアル度が高く、ユーザーに対するアピール度の高いホームページを手数をかけずに簡単に作成することができる。また、ユーザーにとっても文字表示が少なく写真等の映像が多い画面となるため、簡単に情報を得ることができる。
しかも、画面表示と同時にＢＧＭを流す共に、画面が自動的に切り替わり、かつ、１画面の画像も自動的に時間差をあけて表示されるため、多少長いホームページであっても、該ホームページの全画面をユーザーは楽しみながら見ることができる。
【００４０】
特に、近時、光ファイバーによりインターネットを介して高速通信が可能となっているため、データ量が多い映像データや動画データを含むホームページも短時間でユーザーのコンピュータに送信できる。かつ、一括ダウンロードした後に画面表示するのでは無く、コンピュータにデータを取り込みながらパラレルに画面表示する方法を用いることで、イメージデータを多く含むホームページをスムーズにモニタ表示できる。
【図面の簡単な説明】
【図１】本発明のホームページの画面を示す概略図である。
【図２】上記ホームページのトップ画面をプリントアウトした図面である。
【図３】上記ホームページの分割表示画面をプリントアウトした図面である。
【図４】上記ホームページの情報表示画面の１枚をプリントアウトした図面である。
【図５】上記ホームページの情報表示画面の他の１枚をプリントアウトした図面である。
【図６】上記ホームページの情報表示画面の他の１枚をプリントアウトした図面である。
【図７】上記ホームページの情報表示画面の他の１枚をプリントアウトした図面である。
【図８】上記ホームページの情報表示画面の他の１枚をプリントアウトした図面である。
【図９】上記ホームページの情報表示画面の他の１枚をプリントアウトした図面である。
【図１０】上記ホームページの情報表示画面の他の１枚をプリントアウトした図面である。
【符号の説明】
１　トップ画面
２　分割表示画面
３（３Ａ〜３ｎ）　情報表示画面
Ａ　１画面
Ｂ　画像
Ｂａ１〜Ｂａ９　分割表示画面の分割された画像
Ｂｂ１〜Ｂｂ９　情報表示画面の分割された画像
【図１】
2004139182.tif 000003
【図２】
2004139182.tif 000004
【図３】
2004139182.tif 000005
【図４】
2004139182.tif 000006
【図５】
2004139182.tif 000007
【図６】
2004139182.tif 000008
【図７】
2004139182.tif 000009
【図８】
2004139182.tif 000010
【図９】
2004139182.tif 000011
【図１０】
2004139182.tif 000012